(57)【特許請求の範囲】
【請求項１】
本体（２５ａ，２６ａ）と、
前記本体（２５ａ，２６ａ）に取り付けられるために裏側部に一体として設けられる取付部（７１，７４，９１ｂ，９２）と、前記裏側の面（２６１，２６２）上に設けられ、少なくとも色彩が付されている意匠層（２７ａ，２７ｂ）とを有する透明な第１意匠パネル（２６ｂ，８０，８１）と、
を備え、
前記第１意匠パネル（２６ｂ，８０，８１）には、その表側の面のうち少なくとも前記取付部（７１，７４，９１ｂ，９２）に対向する部分に、前記取付部を隠蔽するための隠蔽加工が施される、
空気調和機の室内機（２）。
【請求項２】
前記本体（２５ａ）は、前面パネル（２６ａ）を有しており、
前記取付部（９１ｂ）は、前記前面パネル（２６ａ）に取り付けられるために前記第１意匠パネル（８０）の前記裏側部に前記第１意匠パネル（８０）と一体として設けられる、
請求項１に記載の空気調和機の室内機（２）。
【請求項３】
前記隠蔽加工は、表面処理加工である、
請求項１または２に記載の空気調和機の室内機。
【請求項４】
前記表面処理加工は、シボ加工である、
請求項３に記載の空気調和機の室内機。
【請求項５】
前記表面処理加工は、ローレット加工である、
請求項３に記載の空気調和機の室内機。
【請求項６】
前記隠蔽加工は、表面被覆加工である、
請求項１または２に記載の空気調和機の室内機。
【請求項７】
前記隠蔽加工は、前記第１意匠パネルの表側の面のうち少なくとも前記取付部に対向する部分の面を、他の部分の面に対して傾斜させる傾斜加工である、
請求項１または２に記載の空気調和機の室内機。
【請求項８】
前記第１意匠パネル（８１）は、メインパネル（８１ａ）と、前記メインパネルに対して傾斜するサブパネル（８１ｂ）とから構成されており、
前記取付部（９２）は、前記サブパネルの裏側部に一体として設けられている、
請求項１または２に記載の空気調和機の室内機。
【請求項９】
請求項１に記載の空気調和機（１）の室内機（２）を製造する空気調和機の室内機の製造方法であって、
前記第１意匠パネル（２６ｂ，８０）の表側の面うちの少なくとも前記取付部（７１，７４，９１ｂ）に対向する部分に前記隠蔽加工を施す第１工程と、
前記第１意匠パネル（２６ｂ，８０）を前記本体（２５ａ，２６ａ）の前部に取り付ける第２工程と、
を備える、空気調和機の室内機の製造方法。
【請求項１０】
請求項１に記載の空気調和機（１）の室内機（２）を製造する空気調和機の室内機の製造方法であって、
前記第１意匠パネル（２６ｂ，８０）を前記本体（２５ａ，２６ａ）に取り付ける第１工程と、
前記第１意匠パネル（２６ｂ，８０）の表側の面うちの少なくとも前記取付部（７１，７４，９１ｂ）に対向する部分に前記隠蔽加工を施す前記第２工程と、
を備える、空気調和機の室内機の製造方法。
【請求項１１】
前記第２工程では、前記第１意匠パネル（８０）の表側の面うちの少なくとも前記取付部（９１ｂ）に対向する部分が、少なくとも色彩が付されている第２意匠パネル（８５）によって覆われる、
請求項１０に記載の空気調和機の室内機の製造方法。
【発明の詳細な説明】
【技術分野】
【０００１】
本発明は、空気調和機の室内機およびその製造方法に関する。
【背景技術】
【０００２】
近年、空気調和機の室内機の意匠性を向上させることが試みられている（例えば、特許文献１参照）。このような試みに際して、室内機の本体に意匠パネルを取り付ける方法（意匠パネルは、本体に直接取り付けられてもよいし前面パネルがある場合にはその前面パネルに取り付けられてもよい。）などが考案されている。また、このような方法に用いられる意匠パネルの一つに、透明であってその裏側に色彩や模様が施されているような意匠パネルがある。
【特許文献１】特願２００２−３５５１７５号（第３−２０項、図３）
【発明の開示】
【発明が解決しようとする課題】
【０００３】
ところで、このような意匠パネルを成形する際には、意匠パネルとその意匠パネルを本体または前面パネルに取り付けるための取付部（例えば、ツメやヒンジなど）とが一体として成形されることが多い。しかし、透明な意匠パネルを成形してその裏側の面およびその取付部に色彩や模様を施すと、取付部に対向する表側の部分と他の平面部との視覚的効果に差がでることが多い。そして、この視覚的効果の差があまりにも大きいと、前面パネル全体としての意匠性が損なわれる場合がある。
【０００４】
本発明の課題は、本体への取付部などによって室内機の前面パネルなどの意匠性が損なわれるおそれを未然に取り除くことである。
【課題を解決するための手段】
【０００５】
第１発明に係る空気調和機の室内機は、本体および第１意匠パネルを備える。第１意匠パネルは、透明であり、取付部および意匠層を有する。取付部は、本体に取り付けられるために第１意匠パネルの裏側部に第１意匠パネルと一体として設けられる。意匠層は、第１意匠パネルの裏側の面上に設けられる。また、この意匠層には、少なくとも色彩が付されている。そして、第１意匠パネルには、その表側の面のうち少なくとも取付部に対向する部分に隠蔽加工が施される。なお、ここにいう「隠蔽加工」とは、取付部を隠蔽するための加工であって、例えば、表面処理加工、表面被覆加工、およびカット加工などである。
【０００６】
ここでは、第１意匠パネルの表側の面のうち少なくとも取付部に対向する部分に隠蔽加工が施される。このため、例えば、取付部に対向する表側の部分に（さらには他の表側の部分にも）他の平面部の意匠と全く異なる意匠などを施して取付部を隠蔽することができる。したがって、取付部に対向する表側の部分に（さらには他の表側の部分にも）平面部の意匠と調和する意匠を施して取付部を隠蔽することができれば、本体への取付部などによって室内機の前面パネルなどの意匠性が損なわれるおそれを未然に取り除くことができる。
【０００７】
第２発明に係る空気調和機の室内機は、第１発明に係る空気調和機の室内機であって、本体は、前面パネルを有している。また、取付部は、前面パネルに取り付けられるために第１意匠パネルの裏側部に第１意匠パネルと一体として設けられる。
ここでは、空気調和機の室内機に前面パネルが設けられているような場合であっても、取付部に対向する表側の部分に（さらには他の表側の部分にも）平面部の意匠と調和する意匠を施して取付部を隠蔽することができれば、本体への取付部などによって室内機の前面パネルなどの意匠性が損なわれるおそれを未然に取り除くことができる。
【０００８】
第３発明に係る空気調和機の室内機は、第１発明または第２発明に係る空気調和機の室内機であって、隠蔽加工は、表面処理加工である。なお、ここにいう「表面処理加工」とは、シボ加工やローレット加工、塗装などである。ここで、「シボ加工」とは、表面に立体的な模様を形成する加工である。樹脂にシボ加工を施す場合は、その金型にあらかじめシボ加工を施しておくなどの方法が採られる。「ローレット加工」とは、表面に立体的な横縞模様または縦縞模様を形成する加工である。樹脂にローレット加工を施す場合は、その金型にあらかじめローレット加工を施しておくなどの方法が採られる。
【０００９】
ここでは、隠蔽加工が、表面処理加工である。このため、取付部を容易に隠蔽することができる。
第４発明に係る空気調和機の室内機は、第３発明に係る空気調和機の室内機であって、表面処理加工は、シボ加工である。
ここでは、表面処理加工が、シボ加工である。金型の対応する箇所にあらかじめシボ加工を施しておけば第１意匠パネルの成形と同時に取付部の隠蔽を行うことができる。したがって、第１意匠パネルの製造工程を増やすことなく容易に目的を達することができる。
【００１０】
第５発明に係る空気調和機の室内機は、第３発明に係る空気調和機の室内機であって、表面処理加工は、ローレット加工である。
ここでは、表面処理加工が、ローレット加工である。金型の対応する箇所にあらかじめローレット加工を施しておけば第１意匠パネルの成形と同時に取付部の隠蔽を行うことができる。したがって、第１意匠パネルの製造工程を増やすことなく容易に目的を達することができる。
【００１１】
第６発明に係る空気調和機の室内機は、第１発明または第２発明に係る空気調和機の室内機であって、隠蔽加工は、表面被覆加工である。なお、ここにいう「表面被覆加工」とは、別パネルやシールなどの貼り付けなどである。
ここでは、隠蔽加工が、表面被覆加工である。このため、取付部を容易に隠蔽することができる。
【００１２】
第７発明に係る空気調和機の室内機は、第１発明または第２発明に係る空気調和機の室内機であって、隠蔽加工は、傾斜加工である。なお、ここにいう「傾斜加工」とは、第１意匠パネルの表側の面のうち少なくとも取付部に対向する部分の面を、他の部分の面に対して傾斜させる加工をいう。また、第１意匠パネルの表側の面のうち前記取付部に対向する部分を含む面を、他の部分の面に対して傾斜させてもよい。
【００１３】
ここでは、隠蔽加工が、傾斜加工である。ところで、室内機が壁掛式の室内機である場合、室内機は、通常、人の目線よりも上に設置される。また、このとき、第１意匠パネルは、通常、床面に対してほぼ垂直になる。このような状況を想定すると、第１意匠パネルの表側の面のうち少なくとも取付部に対向する部分の面を、他の部分の面に対して傾斜させておけば（通常は第１意匠パネルの裏面から表面に向かって傾斜するように加工される）、取付部に対向する部分の面とその他の部分の面とにおける光の反射の仕方が異なり、取付部に対向する部分の面が人に見えにくくなる。また、このような第１意匠パネルの形状は、金型をそのような形状にしておくことで容易に得られる。このため、取付部を容易に隠蔽することができる。
【００１４】
第８発明に係る空気調和機の室内機は、第１発明または第２発明に係る空気調和機の室内機であって、第１意匠パネルは、メインパネルとサブパネルとから構成されている。サブパネルは、メインパネルに対して傾斜している。取付部は、サブパネルの裏側部に一体として設けられている。
ここでは、サブパネルが、メインパネルに対して傾斜している。そして、取付部が、サブパネルの裏側部に一体として設けられている。ところで、室内機が壁掛式の室内機である場合、室内機は、通常、人の目線よりも上に設置される。また、このとき、第１意匠パネルのうちメインパネルは、通常、床面に対してほぼ垂直になる。このような状態において、サブパネルを、メインパネルに対して傾斜させておけば（サブパネルは、通常、メイン意匠パネルの表側から裏側に向かって傾斜しながら伸びるように加工される）、サブパネルとメインパネルとにおいて光の反射の仕方が異なり、サブパネルの裏側にある取付部が人に見えにくくなる。また、このような第１意匠パネルの形状は、金型をそのような形状にしておくことで容易に得られる。このため、取付部を容易に隠蔽することができる。
【００１５】
第９発明に係る空気調和機の室内機の製造方法は、第１発明に係る空気調和機の室内機を製造する空気調和機の室内機の製造方法であって、第１工程および第２工程を備える。第１工程では、第１意匠パネルの表側の面うちの少なくとも取付部に対向する部分に隠蔽加工が施される。第２工程では、第１意匠パネルが本体の前部に取り付けられる。
ここでは、この製造方法に従って空気調和機の室内機が製造される場合、第１工程で、第１意匠パネルの表側の面うちの少なくとも取付部に対向する部分に隠蔽加工が施される。そして、第２工程で、第１意匠パネルが本体の前部に取り付けられる。このため、取付部に対向する表側の部分に（さらには他の表側の部分にも）他の平面部の意匠と全く異なる意匠を施して取付部を隠蔽することができる。したがって、取付部に対向する表側の部分に（さらには他の表側の部分にも）平面部の意匠と調和する意匠を施して取付部を隠蔽することができれば、本体への取付部などによって室内機の前面パネルなどの意匠性が損なわれるおそれを未然に取り除くことができる。
【００１６】
第１０発明に係る空気調和機の室内機の製造方法は、第１発明に係る空気調和機の室内機を製造する空気調和機の室内機の製造方法であって、第１工程および第２工程を備える。第１工程では、第１意匠パネルが本体に取り付けられる。第２工程では、第１意匠パネルの表側の面うちの少なくとも取付部に対向する部分に隠蔽加工が施される。
ここでは、この製造方法に従って空気調和機の室内機が製造される場合、第１工程で、第１意匠パネルが本体に取り付けられる。そして、第２工程で、第１意匠パネルの表側の面うちの少なくとも取付部に対向する部分に隠蔽加工が施される。このため、取付部に対向する表側の部分に（さらには他の表側の部分にも）他の平面部の意匠と全く異なる意匠を施して取付部を隠蔽することができる。したがって、取付部に対向する表側の部分に（さらには他の表側の部分にも）平面部の意匠と調和する意匠を施して取付部を隠蔽することができれば、本体への取付部などによって室内機の前面パネルなどの意匠性が損なわれるおそれを未然に取り除くことができる。
【００１７】
第１１発明に係る空気調和機の室内機の製造方法は、第１０発明に係る空気調和機の室内機の製造方法であって、第２工程では、第１意匠パネルの表側の面うちの少なくとも取付部に対向する部分が、第２意匠パネルによって覆われる。なお、第２意匠パネルには、少なくとも色彩が付されている。
ここでは、この製造方法に従って空気調和機の室内機が製造される場合、第２工程で、第１意匠パネルの表側の面うちの少なくとも取付部に対向する部分が第２意匠パネルによって覆われる。このため、第２意匠パネルに第１意匠パネルの平面部の意匠と調和する意匠を施すことができれば、本体への取付部などによって室内機の前面パネルなどの意匠性が損なわれるおそれを未然に取り除くことができる。
【発明の効果】
【００１８】
第１発明に係る空気調和機の室内機では、取付部に対向する表側の部分に（さらには他の表側の部分にも）他の平面部の意匠と全く異なる意匠を施して取付部を隠蔽することができる。したがって、取付部に対向する表側の部分に（さらには他の表側の部分にも）平面部の意匠と調和する意匠を施して取付部を隠蔽することができれば、本体への取付部などによって室内機の前面パネルなどの意匠性が損なわれるおそれを未然に取り除くことができる。
【００１９】
第２発明に係る空気調和機の室内機では、取付部に対向する表側の部分に（さらには他の表側の部分にも）平面部の意匠と調和する意匠を施して取付部を隠蔽することができれば、本体への取付部などによって室内機の前面パネルなどの意匠性が損なわれるおそれを未然に取り除くことができる。
第３発明に係る空気調和機の室内機では、取付部を容易に隠蔽することができる。
【００２０】
第４発明に係る空気調和機の室内機では、第１意匠パネルの製造工程を増やすことなく容易に目的を達することができる。
第５発明に係る空気調和機の室内機では、第１意匠パネルの製造工程を増やすことなく容易に目的を達することができる。
第６発明に係る空気調和機の室内機では、取付部を容易に隠蔽することができる。
【００２１】
第７発明に係る空気調和機の室内機では、取付部を容易に隠蔽することができる。
第８発明に係る空気調和機の室内機では、取付部を容易に隠蔽することができる。
第９発明に係る空気調和機の室内機の製造方法に従って空気調和機の室内機が製造される場合、取付部に対向する表側の部分に（さらには他の表側の部分にも）他の平面部の意匠と全く異なる意匠を施して取付部を隠蔽することができる。したがって、取付部に対向する表側の部分に（さらには他の表側の部分にも）平面部の意匠と調和する意匠を施して取付部を隠蔽することができれば、本体への取付部などによって室内機の前面パネルなどの意匠性が損なわれるおそれを未然に取り除くことができる。
【００２２】
第１０発明に係る空気調和機の室内機の製造方法に従って空気調和機の室内機が製造される場合、取付部に対向する表側の部分に（さらには他の表側の部分にも）他の平面部の意匠と全く異なる意匠を施して取付部を隠蔽することができる。したがって、取付部に対向する表側の部分に（さらには他の表側の部分にも）平面部の意匠と調和する意匠を施して取付部を隠蔽することができれば、本体への取付部などによって室内機の前面パネルなどの意匠性が損なわれるおそれを未然に取り除くことができる。
【００２３】
第１１発明に係る空気調和機の室内機の製造方法に従って空気調和機の室内機が製造される場合、第２意匠パネルに第１意匠パネルの平面部の意匠と調和する意匠を施すことができれば、本体への取付部などによって室内機の前面パネルなどの意匠性が損なわれるおそれを未然に取り除くことができる。
【発明を実施するための最良の形態】
【００２４】
＜第１実施形態＞
［空気調和機の全体構成］
図１には、第１実施形態に係る空気調和機１の外観を示す。
この空気調和機１は、室内の壁面に取り付けられる壁掛け型の室内機２と、室外に設置される室外機３とを備える。
【００２５】
室内機２内には室内熱交換器が収納され、室外機３内には室外熱交換器が収納されており、各熱交換器が冷媒配管４により接続されることにより冷媒回路を構成している。
［空気調和機の冷媒回路の構成概略］
空気調和機１の冷媒回路の構成を図２に示す。この冷媒回路は、主として室内熱交換器２０、アキュムレータ３１、圧縮機３２、四路切換弁３３、室外熱交換器３０及び電動膨張弁３４で構成される。
【００２６】
室内機２に設けられている室内熱交換器２０は、接触する空気との間で熱交換を行う。また、室内機２には、室内空気を吸い込んで室内熱交換器２０に通し熱交換が行われた後の空気を室内に排出するためのクロスフローファン２１が設けられている。クロスフローファン２１は、円筒形状に構成され、周面には回転軸方向に羽根が設けられているものであり、回転軸と交わる方向に空気流を生成する。このクロスフローファン２１は、室内機２内に設けられる室内ファンモータ２２によって回転駆動される。室内機２の詳細な構成については後に説明する。
【００２７】
室外機３には、圧縮機３２と、圧縮機３２の吐出側に接続される四路切換弁３３と、圧縮機３２の吸入側に接続されるアキュムレータ３１と、四路切換弁３３に接続された室外熱交換器３０と、室外熱交換器３０に接続された電動膨張弁３４とが設けられている。電動膨張弁３４は、フィルタ３５および液閉鎖弁３６を介して配管４１に接続されており、この配管４１を介して室内熱交換器２０の一端と接続される。また、四路切換弁３３は、ガス閉鎖弁３７を介して配管４２に接続されており、この配管４２を介して室内熱交換器２０の他端と接続されている。この配管４１，４２は、図１の冷媒配管４に相当する。また、室外機３には、室外熱交換器３０での熱交換後の空気を外部に排出するためのプロペラファン３８が設けられている。このプロペラファン３８は、ファンモータ３９によって回転駆動される。
【００２８】
［室内機の構成］
図３に室内機２の側面断面図を示す。
室内機２は、上述したクロスフローファン２１や室内熱交換器２０等と、これらを収容する室内機ケーシング２３ａとを備えている。
クロスフローファン２１は、室内ファンモータ２２によって中心軸周りに回転駆動されることにより、吸込み口２５１から取り込まれ室内熱交換器２０を通り吹出し口２５２から室内へと吹き出す空気流を生成する。クロスフローファン２１は、側面視において室内機２の概ね中央に位置している。
【００２９】
室内熱交換器２０は、クロスフローファン２１の前方、上方および後部上方を取り囲むように取り付けられている。室内熱交換器２０は、クロスフローファン２１の駆動により吸込み口２５１から吸い込まれた空気をクロスフローファン２１側に通過させ、伝熱管の内部を通過する冷媒との間で熱交換を行わせる。室内熱交換器２０は、側面視において概ね逆Ｖ字型の断面形状を有している。
【００３０】
（室内機ケーシング２３ａの構成）
室内機ケーシング２３ａは、主として、底フレーム２４、前面グリル２５ａおよびフロントパネル２６ａにより構成されている。なお、このフロントパネル２６ａには、装飾用の飾りパネル８０が取り付けられる。
底フレーム２４は、室内機２の背面を構成しており、室内熱交換器２０およびクロスフローファン２１の後方を覆っている。
【００３１】
前面グリル２５ａは、室内機２の天面、側面、下面を覆うように形成されており、前面グリル２５ａの前面にはフロントパネル２６ａが取り付けられる（図４参照）。前面グリル２５ａの天面には、複数のスリット状の開口からなる吸込み口２５１が設けられている。吸込み口２５１は、前面グリル２５ａの天面の略全体に亘って設けられている。前面グリル２５ａの下面の前側には、室内機２の長手方向に沿う開口からなる吹出し口２５２が設けられている。また、吹出し口２５２には、室内へと吹出す空気が案内される水平フラップ２５３が設けられている。この水平フラップ２５３は、室内機２の長手方向に平行な軸を中心に回動自在に設けられている。水平フラップ２５３は、フラップモータ（図示せず）によって回動することにより、吹出し口２５２の開閉を行うことができる。
【００３２】
フロントパネル２６ａは、室内機２の前面に配置されている。フロントパネル２６ａは、前面グリル２５ａとは別体として形成されており、前面グリル２５ａの前部を覆うように取り付けられている。フロントパネル２６ａの表側は、水平に設けられた段差によって上下に分かれた２つの面によって構成されているが、各面は概ね平坦に形成されており、凹凸および穴やスリットなどの開口部のない滑らかな表面となっている。また、段差部分は平面的な開口となっており、この開口からも室内の空気が吸い込まれる（図３の白抜き矢印Ａ１参照）。なお、このフロントパネル２６ａは、図４に示すようにヒンジ７１を介して前面グリル２５ａに取り付けられる。そして、このフロントパネル２６ａは、このヒンジ７１により、開閉可能となっている。
【００３３】
飾りパネル８０は、フロントパネル２６ａとは別体として形成されており、フロントパネル２６ａの水平な段差から下の面を覆うように取り付けられている。この飾りパネル８０は、透明の樹脂により形成されており、その裏側の全体を占める被塗装部２６１には色彩や模様等が表された塗料層２７ａが設けられている。この塗料層２７ａは、飾りパネル８０の裏側から飾りパネル８０の全体に塗装を施すことによって形成される。なお、この飾りパネル８０には取付ツメ９１ｂ（図７参照）が一体成形されており、これらにより飾りパネル８０がフロントパネル２６ａに取り付けられる。
【００３４】
前面グリル２５ａの前面には、開口２５４が設けられている。前面グリル２５ａの前面とフロントパネル２６ａとの間に各種のフィルタ５０，５１，５２が取り付けられることにより、この開口２５４がフィルタ５０，５１，５２に覆われる。このフィルタ５０，５１，５２には、エアフィルタ５０、空気清浄フィルタ５１および光触媒フィルタ５２がある。
【００３５】
エアフィルタ５０は、塵や埃を通過する空気から除去することができる。エアフィルタ５０は、前面グリル２５ａの前面から天面までを覆うように設けられている。エアフィルタ５０のうち前面グリル２５ａの天面に位置する部分は、天面の吸込み口２５１のすぐ内側に位置している。
空気清浄フィルタ５１は、前面グリル２５ａの前面上部であって、エアフィルタ５０の内側に設けられる。空気清浄フィルタ５１は、エアフィルタ５０よりも細かい埃やタバコの煙、花粉等を通過する空気から除去することができる。
【００３６】
光触媒フィルタ５２は、前面グリル２５ａの前面下部に設けられており、通過する空気から臭気成分や有害ガス等を除去することが出来る。臭気成分とは、例えば、ホルムアルデヒド、アセトアルデヒド、アンモニア、硫化水素等であり、タバコ、生ゴミ、建築材等から生じるの悪臭の原因となる成分である。有害ガスとは、ＮＯｘやＳＯｘ等、車の排気ガス等に含まれている有害な成分である。光触媒フィルタ５２は、ハニカム構造を有するシート状に形成されており、主として酸化チタンにより構成される光触媒を含有している。光触媒は、光によって強力な酸化力を発揮し、臭気成分や有害ガスを分解して無害化することができる。
【００３７】
［室内機の製造方法］
次に上記の室内機２を製造するための製造方法を説明する。
この空気調和機１の室内機２の製造方法は、図５に示すように、主として、室内機ケーシング２３ａの製造工程Ｓ１、他の構成部品の製造工程Ｓ２および組立工程Ｓ３から形成される。
【００３８】
室内機ケーシング２３ａの製造工程Ｓ１は、図６に示すように、前面グリル２５ａの製造工程Ｓ１０、底フレーム２４の製造工程Ｓ１１、フロントパネル２６ａの製造工程Ｓ１２および飾りパネル８０の製造工程Ｓ１３によって構成されている。
前面グリル２５ａの製造工程Ｓ１０、底フレーム２４の製造工程Ｓ１１およびフロントパネル２６ａの製造工程Ｓ１２では、前面グリル２５ａ、底フレーム２４およびフロントパネル２６ａそれぞれが、樹脂材料から一体成形されて、あるいは、樹脂材料から成形された部品から組み立てられて製造される。
【００３９】
飾りパネル８０の製造工程Ｓ１３は、飾りパネル８０の成形工程Ｓ１４および塗装加工工程Ｓ１５から構成されている。飾りパネル８０の成形工程Ｓ１４では、透明の樹脂材料から飾りパネル８０が成形され、透明な飾りパネル８０が製造される。なお、ここでいう透明な樹脂材料としては、例えば透明なＡＢＳやポリスチレンなどが使用される。また、ここでは、取付ツメ９１ｂ（フロントパネル２６ａへの取付用途）（図７参照）が一体として成形される。さらに、ここでは、飾りパネル８０の表側の面のうち取付ツメ９１ｂに対向する部分には、図７に示すようなシボ形状が施される。このシボ形状は、飾りパネル８０の成形用金型にあらかじめ所望のシボ形状の設けておくことにより実現される。塗装加工工程Ｓ１５では、飾りパネル８０の裏側から塗装が施され、塗料が飾りパネル８０の裏側の全体に塗布される。この塗装加工工程Ｓ１５によって、色彩や模様が表された塗料層２７ａが飾りパネル８０の裏側の被塗装部２６１に密着して設けられる。なお、塗装加工に代えて、飾りパネル８０の裏側に印刷を行う印刷加工が行われてもよい。
【００４０】
他の構成部品の製造工程Ｓ２では、上記の室内熱交換器２０、クロスフローファン２１、各種のフィルタ５０，５１，５２などがそれぞれ製造される。
組立工程Ｓ３では、上記の構成部品が組み立てられて、室内機２が完成する。
［特徴］
第１実施形態に係る空気調和機１の室内機２では、飾りパネル８０の表側の面のうち取付ツメ９１ｂに対向する部分にシボ形状が施される。このため、取付ツメ９１ｂに対向する表側の部分に他の平面部の意匠と全く異なる意匠を施すことができる。したがって、取付ツメ９１ｂに対向する表側の部分に平面部の意匠と調和する意匠を施すことができれば、取付ツメ９１ｂによって室内機２のフロントパネル２６ａの意匠性が損なわれるおそれを未然に取り除くことができる。
【００４１】
［変形例］
（１）
第１実施形態に係る飾りパネル８０の表側の面のうち取付ツメ９１ｂに対向する部分には、その成形加工工程Ｓ１４中にシボ形状が施されたが、必ずしもこの成形加工工程Ｓ１４中にシボ形状を施さなければならないということはない。例えば、このシボ形状は、塗装工程Ｓ１５後に表面処理加工（シボ加工）を行うことによって施されてもよい。
【００４２】
（２）
第１実施形態に係る飾りパネル８０では、その表側の面のうち取付ツメ９１ｂに対向する部分にのみシボ形状を施したが、このシボ形状がその表側の一定の面積を占めるようにしてもかまわない。ただし、そのシボ形状が、取付ツメ９１ｂに対向する部分に施されていることが条件となる。例えば、表側の面のうちその外周枠の一定部分にシボ形状が施されてもよい。
【００４３】
（３）
第１実施形態に係る飾りパネル８０の表側の面のうち取付ツメ９１ｂに対向する部分には、その成形加工工程Ｓ１４中にシボ形状が施されたが、必ずしもシボ形状でなければならないということはない。例えば、図８に示すようなローレット形状がその部分に施されてもかまわない（この場合、飾りパネル８０の成形用金型にあらかじめ所望のローレット形状の設けておけば足りる。）。また、このローレット形状がその表側の一定の面積を占めるようにしてもかまわない。ただし、そのローレット形状が、取付ツメ９１ｂに対向する部分に施されていることが条件となる。例えば、表側の面のうちその外周枠一定部分にローレット形状が施されてもよい。
【００４４】
（４）
第１実施形態に係る飾りパネル８０の表側の面のうち取付ツメ９１ｂに対向する部分には、シボ形状が施されたが、必ずしもシボ形状を施さなければならないということはない。例えば、図９に示すように単純にその部分に塗装を施してもかまわない（この場合、金型は通常のものでよい。）。
【００４５】
（５）
第１実施形態に係る飾りパネル８０の表側の面のうち取付ツメ９１ｂに対向する部分には、シボ形状が施されたが、必ずしもシボ形状を施さなければならないということはない。例えば、図１０に示すように単純にその部分をカバーパーツ８５などで覆ってもかまわない（この場合、金型は通常のものでよい。）。
【００４６】
（６）
第１実施形態では、飾りパネル８０の表側の面のうち取付ツメ９１ｂに対向する部分に、シボ形状が施されることにより取付ツメ９１ｂを隠蔽したが、図１４および図１５に示されるように、飾りパネル８０の表側の面のうち取付ツメ９１ｂに対向する部分を含む面をＣカット面とすることにより取付ツメ９１ｂを隠蔽してもよい。このようにすれば、光の反射の仕方で取付ツメ９１ｂを隠蔽することができる。
【００４７】
（７）
第１実施形態では、飾りパネル８０の表側の面のうち取付ツメ９１ｂに対向する部分に、シボ形状が施されることにより取付ツメ９１ｂを隠蔽したが、図１６および図１７に示されるような化粧パネル８１を採用して取付部９２を隠蔽してもよい。この飾りパネル８１は、図１６および図１７に示されるように、見かけ上、メインパネル８１ａ、サブパネル８１ｂ、および取付部９２から成っている（これらのパネル８１ａ，８１ｂおよび取付部９２は、一体として成形される）。サブパネル８１ｂは、メインパネル８１ａに対して傾斜するように成形されている。また、取付部９２は、サブパネル８１ｂの裏側に、メインパネル８１ａに対して垂直になるように成形されており、前面パネル２６ａに設けられる突起部９２ｂに対して嵌め込み可能な開口９２ａを有している。このような飾りパネル８１では、メインパネル８１ａとサブパネル８１ｂとの光の反射の仕方の違いで取付部９２を隠蔽することができる。
【００４８】
＜第２実施形態＞
［空気調和機の全体構成］
第２実施形態に係る空気調和機の全体構成は、フロントパネルを除いて全て第１実施形態に記載の空気調和機の全体構成と同様である。
［空気調和機の冷媒回路の構成概略］
第２実施形態に係る空気調和機の冷媒回路の構成概略は、第１実施形態に記載の空気調和機の冷媒回路の構成概略と同様である。
【００４９】
［室内機の構成］
第２実施形態に係る室内機の構成は、図１１に示すように室内機ケーシングの構成を除いて全て第１実施形態に記載の室内機の構成と同様である。
（室内機ケーシングの構成）
室内機ケーシング２３ｂは、主として、底フレーム２４、前面グリル２５ａおよびフロントパネル２６ｂにより構成されている。
【００５０】
底フレーム２４は、室内機２の背面を構成しており、室内熱交換器２０およびクロスフローファン２１の後方を覆っている。
前面グリル２５ａは、室内機２の天面、側面、下面を覆うように形成されており、前面グリル２５ａの前面にはフロントパネル２６ｂが取り付けられる（図１２参照）。なお、フロントパネル２６ｂが取り付けられるとき、その上面に平面的な開口が設けられる。この開口からも室内の空気が吸い込まれる（図１１の白抜き矢印Ａ２参照）。前面グリル２５ａの天面には、複数のスリット状の開口からなる吸込み口２５１が設けられている。吸込み口２５１は、前面グリル２５ａの天面の略全体に亘って設けられている。前面グリル２５ａの下面の前側には、室内機２の長手方向に沿う開口からなる吹出し口２５２が設けられている。また、吹出し口２５２には、室内へと吹出す空気が案内される水平フラップ２５３が設けられている。この水平フラップ２５３は、室内機２の長手方向に平行な軸を中心に回動自在に設けられている。水平フラップ２５３は、フラップモータ（図示せず）によって回動することにより、吹出し口２５２の開閉を行うことができる。
【００５１】
フロントパネル２６ｂは、室内機２の前面に配置されている。フロントパネル２６ｂは、前面グリル２５ａとは別体として形成されており、前面グリル２５ａの前部を覆うように取り付けられている。このフロントパネル２６ｂは、透明の樹脂により形成されており、その裏側の全体を占める被塗装部２６２には色彩や模様等が表された塗料層２７ｂが設けられている。この塗料層２７ｂは、フロントパネル２６ｂの裏側からフロントパネル２６ｂの全体に塗装を施すことによって形成される。なお、このフロントパネル２６ｂは、ヒンジ７４を介して前面グリル２５ａに取り付けられる。そして、このフロントパネル２６ｂは、このヒンジ７４により、開閉可能となっている。
【００５２】
［室内機の製造方法］
次に第２実施形態に係る室内機２を製造するための製造方法を説明する。なお、第２実施形態に係る室内機の製造方法は、室内機ケーシングの製造以外全て第１実施形態に記載の室内機の製造方法と同様である。このため、ここでは室内機ケーシングの製造についてのみ説明する。
【００５３】
室内機ケーシング２３ｂの製造工程Ｓ１は、図１３に示すように、前面グリル２５ａの製造工程Ｓ２０、底フレーム２４の製造工程Ｓ２１およびフロントパネル２６ｂの製造工程Ｓ２２によって構成されている。
前面グリル２５ａの製造工程Ｓ２０と底フレーム２４の製造工程Ｓ２１とでは、前面グリル２５ａと底フレーム２４とそれぞれが、樹脂材料から一体成形されて、あるいは、樹脂材料から成形された部品から組み立てられて製造される。
【００５４】
フロントパネル２６ｂの製造工程Ｓ２２は、フロントパネル２６ｂの成形工程Ｓ２３および塗装加工工程Ｓ２４から構成されている。フロントパネル２６ｂの成形工程Ｓ２３では、透明の樹脂材料からフロントパネル２６ｂが成形され、透明なフロントパネル２６ｂが製造される。なお、ここでいう透明な樹脂材料としては、例えば透明なＡＢＳやポリスチレンなどが使用される。また、ここでは、ヒンジ７４（前面グリル２５ａへの取付用途）（図１２参照）が一体として成形される。さらに、ここでは、フロントパネル２６ｂの表側の面のうちヒンジ７４に対向する部分には、図１２に示すようなシボ形状が施される。このシボ形状は、フロントパネル２６ｂの成形用金型にあらかじめ所望のシボ形状の設けておくことにより実現される。塗装加工工程Ｓ２４では、フロントパネル２６ｂの裏側から塗装が施され、塗料がフロントパネル２６ｂの裏側の全体に塗布される。この塗装加工工程Ｓ２４によって、色彩や模様が表された塗料層２７ｂがフロントパネル２６ｂの裏側の被塗装部２６２に密着して設けられる。なお、塗装加工に代えて、フロントパネル２６ｂの裏側に印刷を行う印刷加工が行われてもよい。
【００５５】
［特徴］
第２実施形態に係る空気調和機１の室内機２では、フロントパネル２６ｂの表側の面のうちヒンジ７４に対向する部分にシボ形状が施される。このため、ヒンジ７４に対向する表側の部分に他の平面部の意匠と全く異なる意匠を施すことができる。したがって、ヒンジ７４に対向する表側の部分に平面部の意匠と調和する意匠を施すことができれば、ヒンジ７４によって室内機のフロントパネル２６ｂの意匠性が損なわれるおそれを未然に取り除くことができる。
【産業上の利用可能性】
【００５６】
本発明に係る空気調和機の室内機では、取付部によって室内機の意匠性が損なわれるおそれが未然に取り除かれている。また、本発明に係る空気調和機の室内機の製造方法では、意匠性の高い室内機を製造することができる。このため、より意匠性の高い室内機を市場に提供することができる。
【図面の簡単な説明】
【００５７】
【図１】空気調和機の全体図。
【図２】空気調和機の冷媒系統図。
【図３】第１実施形態に係る室内機の側面断面図。
【図４】第１実施形態に係る室内機ケーシングの構成の一部を表す斜視図。
【図５】第１実施形態に係る空気調和機の室内機の製造方法を表すフローチャート。
【図６】第１実施形態に係る室内機ケーシングの製造工程を表すフローチャート。
【図７】第１実施形態に係る室内機の意匠パネルを表す斜視図。
【図８】第１実施形態の変形例（３）に係る室内機の意匠パネルを表す斜視図。
【図９】第１実施形態の変形例（４）に係る室内機の意匠パネルを表す斜視図。
【図１０】第１実施形態の変形例（５）に係る室内機の意匠パネルを表す斜視図。
【図１１】第２実施形態に係る室内機の側面断面図。
【図１２】第２実施形態に係る室内機ケーシングの構成の一部を表す斜視図。
【図１３】第２実施形態に係る室内機ケーシングの製造工程を表すフローチャート。
【図１４】第１実施形態の変形例（６）に係る室内機の意匠パネルを表す斜視図。
【図１５】第１実施形態の変形例（６）に係る室内機の意匠パネルの縦断面図。
【図１６】第１実施形態の変形例（７）に係る室内機の意匠パネルを表す斜視図。
【図１７】第１実施形態の変形例（７）に係る室内機の意匠パネルの縦断面図。
【符号の説明】
【００５８】
２５ａ              前面グリル（本体）
２６ａ              フロントパネル（前面パネル）
２６ｂ              フロントパネル（第１意匠パネル）
２７ａ，２７ｂ      塗料層（意匠層）
７１，７４          ヒンジ（取付部）
８０，８１          飾りパネル（第１意匠パネル）
８１ａ              メインパネル
８１ｂ              サブパネル
８５                カバーパーツ（第２意匠パネル）
９１ｂ，９２        取付ツメ、取付部
２６１，２６２        被塗装部（裏側の面）
【要約】
【課題】  本発明の課題は、室内機の前面パネル２６ａなどの意匠性が損なわれるおそれを未然に取り除くことである。
【解決手段】  空気調和機の室内機２は、本体２６ａおよび第１意匠パネル８０を備える。第１意匠パネル８０は、透明であり、取付部９１ｂおよび意匠層２７ａを有する。取付部９１ｂは、本体に取り付けられるために第１意匠パネル８０の裏側部に第１意匠パネル８０と一体として設けられている。意匠層２７ａは、第１意匠パネル８０の裏側の面上に設けられる。また、この意匠層２７ａには、少なくとも色彩が付されている。そして、第１意匠パネル８０には、その表側の面のうち少なくとも取付部９１ｂに対向する部分に、取付部を隠蔽するための隠蔽加工が施される。
【選択図】      図７
【図１】
0003637919.tif 000002
【図２】
0003637919.tif 000003
【図３】
0003637919.tif 000004
【図４】
0003637919.tif 000005
【図５】
0003637919.tif 000006
【図６】
0003637919.tif 000007
【図７】
0003637919.tif 000008
【図８】
0003637919.tif 000009
【図９】
0003637919.tif 000010
【図１０】
0003637919.tif 000011
【図１１】
0003637919.tif 000012
【図１２】
0003637919.tif 000013
【図１３】
0003637919.tif 000014
【図１４】
0003637919.tif 000015
【図１５】
0003637919.tif 000016
【図１６】
0003637919.tif 000017
【図１７】
0003637919.tif 000018